(57)【要約】【課題】編組とシールドシェルとの接続信頼性を保持することができるシールド電線端末構造を提供する。【解決手段】電線３と電線３の外周に設けられた編組５と編組５の外周に設けられたシース７とを有したシールド電線９と、電線３に接続される端子１１と、端子１１を収容するハウジング１３と、ハウジング１３が収容され編組５に接続されるシールドシェル１５とを備えたシールド電線端末構造１において、シールドシェル１５に、編組５を加締めることにより接続され編組５を加締める前に編組５が配置された状態でシールド電線９の長さ方向と平行な平面方向に延設された加締部１７を設けた。【選択図】図１
2019197639.tif 000002
【特許請求の範囲】
【請求項１】
電線とこの電線の外周に設けられた編組とこの編組の外周に設けられたシースとを有したシールド電線と、
前記電線に接続される端子と、
前記端子を収容するハウジングと、
前記ハウジングが収容され前記編組に接続されるシールドシェルと、
前記シールドシェルに設けられ前記編組を加締めることにより接続され前記編組を加締める前に前記編組が配置された状態で前記シールド電線の長さ方向と平行な平面方向に延設された加締部と、
を有することを特徴とするシールド電線端末構造。
【請求項２】
請求項１記載のシールド電線端末構造であって、
前記ハウジングは、前記シールドシェルに対して前記シールド電線の長さ方向に沿って収容されることを特徴とするシールド電線端末構造。
【請求項３】
請求項１又は２記載のシールド電線端末構造であって、
前記加締部は、前記編組を加締める前に、前記編組の外周に配置された型部材によって前記編組の外形に沿って一次的に変形されることを特徴とするシールド電線端末構造。
【発明の詳細な説明】
【技術分野】
【０００１】
本発明は、シールド電線端末構造に関する。詳細には、電線と編組とを有するシールド電線の編組に接続されるシールドシェルに設けられた加締部を有するシールド電線端末構造に関する。
【背景技術】
【０００２】
従来、シールド電線端末構造しては、電線とこの電線の外周に設けられた編組とこの編組の外周に設けられたシースとを有したシールド電線としての同軸ケーブルと、電線に接続される端子としての内導体端子と、内導体端子を収容するハウジングとしての誘電体と、誘電体が収容され編組に接続されるシールドシェルとしての外導体端子とを備えたものが知られている（例えば、特許文献１参照）。
【０００３】
このシールド電線端末構造では、外導体端子に、同軸ケーブルの編組に接続される加締部としてのシールド圧着部が同軸ケーブルに向けてＵ字状に設けられ、シールド圧着部を編組に加締めることにより、編組と外導体端子とが電気的に接続される。
【先行技術文献】
【特許文献】
【０００４】
【特許文献１】特開２０１５−１６２３７５号公報
【発明の概要】
【発明が解決しようとする課題】
【０００５】
しかしながら、上記特許文献１のようなシールド電線端末構造では、加締部がシールド電線に向けてＵ字状に設けられているので、加締部を加締める前に、シールド電線の編組を加締部に配置させるときに、加締部が編組に引っかかるなどの干渉を生じる恐れがあった。
【０００６】
このような加締部と編組との干渉が生じると、編組に変形やバラけが生じる恐れがあり、編組とシールドシェルとの接続信頼性が低下する恐れがあった。
【０００７】
そこで、この発明は、編組とシールドシェルとの接続信頼性を保持することができるシールド電線端末構造の提供を目的としている。
【課題を解決するための手段】
【０００８】
請求項１記載の発明は、電線とこの電線の外周に設けられた編組とこの編組の外周に設けられたシースとを有したシールド電線と、前記電線に接続される端子と、前記端子を収容するハウジングと、前記ハウジングが収容され前記編組に接続されるシールドシェルと、前記シールドシェルに設けられ前記編組を加締めることにより接続され前記編組を加締める前に前記編組が配置された状態で前記シールド電線の長さ方向と平行な平面方向に延設された加締部とを有することを特徴とするシールド電線端末構造である。
【０００９】
このシールド電線端末構造では、シールドシェルに、編組を加締めることにより接続され編組を加締める前に編組が配置された状態でシールド電線の長さ方向と平行な平面方向に延設された加締部が設けられているので、加締部を加締める前に、シールド電線の編組を加締部に配置させるときに、加締部が編組に引っかかるなどの干渉を生じることがない。
【００１０】
従って、このようなシールド電線端末構造では、加締部と編組との干渉による編組の変形やバラけが生じることがなく、編組とシールドシェルとの接続信頼性を保持することができる。
【００１１】
請求項２記載の発明は、請求項１記載のシールド電線端末構造であって、前記ハウジングは、前記シールドシェルに対して前記シールド電線の長さ方向に沿って収容されることを特徴とする。
【００１２】
このシールド電線端末構造では、ハウジングが、シールドシェルに対してシールド電線の長さ方向に沿って収容されるので、ハウジングをシールドシェルに収容するときに、加締部がハウジングの挿入を阻害することがなく、組付性を向上することができる。
【００１３】
請求項３記載の発明は、請求項１又は２記載のシールド電線端末構造であって、前記加締部は、前記編組を加締める前に、前記編組の外周に配置された型部材によって前記編組の外形に沿って一次的に変形されることを特徴とする。
【００１４】
このシールド電線端末構造では、加締部が、編組を加締める前に、編組の外周に配置された型部材によって編組の外形に沿って一次的に変形されるので、加締部を編組に加締めたときに安定して加締部を編組に圧着させることができ、編組とシールドシェルとの接続信頼性を向上することができる。
【発明の効果】
【００１５】
本発明によれば、編組とシールドシェルとの接続信頼性を保持することができるシールド電線端末構造を提供することができるという効果を奏する。
【図面の簡単な説明】
【００１６】
【図１】本発明の実施の形態に係るシールド電線端末構造の分解斜視図である。
【図２】本発明の実施の形態に係るシールド電線端末構造の斜視図である。
【図３】本発明の実施の形態に係るシールド電線端末構造のシールド電線の断面図である。
【図４】本発明の実施の形態に係るシールド電線端末構造のシールドシェルの斜視図である。
【図５】本発明の実施の形態に係るシールド電線端末構造のシールドシェルにハウジングを収容するときの斜視図である。
【図６】本発明の実施の形態に係るシールド電線端末構造のシールドシェルにハウジングを収容したときの斜視図である。
【図７】本発明の実施の形態に係るシールド電線端末構造の加締部を編組に加締めたときの斜視図である。
【図８】本発明の実施の形態に係るシールド電線端末構造の加締部を編組に加締めるときの斜視図である。
【図９】本発明の実施の形態に係るシールド電線端末構造のシールド電線と加締部の断面図である。
【図１０】本発明の実施の形態に係るシールド電線端末構造の加締部を編組に加締めるときの断面図である。
【発明を実施するための形態】
【００１７】
図１〜図１０を用いて本発明の実施の形態に係るシールド電線端末構造について説明する。
【００１８】
本実施の形態に係るシールド電線端末構造１は、電線３とこの電線３の外周に設けられた編組５とこの編組５の外周に設けられたシース７とを有したシールド電線９と、電線３に接続される端子１１と、端子１１を収容するハウジング１３と、ハウジング１３が収容され編組５に接続されるシールドシェル１５とを備えている。
【００１９】
そして、シールドシェル１５には、編組５を加締めることにより接続され編組５を加締める前に編組５が配置された状態でシールド電線９の長さ方向と平行な平面方向に延設された加締部１７が設けられている。
【００２０】
また、ハウジング１３は、シールドシェル１５に対してシールド電線９の長さ方向に沿って収容される。
【００２１】
さらに、加締部１７は、編組５を加締める前に、編組５の外周に配置された型部材としての治具２５と中子２７とによって編組５の外形に沿って一次的に変形される。
【００２２】
図１〜図１０に示すように、シールド電線９は、電線３と、編組５と、シース７とを備えている。
【００２３】
電線３は、導電性材料からなる複数の素線が撚り合わせられた芯線と、絶縁性材料からなり芯線の外周を覆う絶縁被覆とからなる。
【００２４】
この電線３は、複数本（ここでは２本）が束ねられた状態で、外周が金属箔１９を介して編組５によって覆われている。
【００２５】
編組５は、導電性材料からなる複数の素線が編み込まれて形成され、電線３の外周を覆うように配置されている。
【００２６】
この編組５の外周は、シース７によって覆われている。
【００２７】
シース７は、絶縁性材料からなり、編組５の外周を覆うように配置されている。
【００２８】
このように構成されたシールド電線９は、端末部において、まず、シース７を所定長さ剥がし、露出された編組５をシース７側に折返し、編組５をシース７の外周に配置させる。
【００２９】
次に、金属箔１９を所定長さ剥がし、電線３を露出させ、電線３の絶縁被覆を所定長さ剥がし、電線３の芯線を露出させる。
【００３０】
そして、端末処理が施されたシールド電線９には、電線３の露出する芯線に端子１１が接続され、露出する編組５にシールドシェル１５が接続される。
【００３１】
端子１１は、導電性材料からなり、箱状の接続部を有する雌型端子からなる。
【００３２】
この端子１１は、複数の電線３にそれぞれ配置され、電線３の芯線に対して加締片からなる圧着部を圧着させることにより、電線３と電気的に接続される。
【００３３】
このように電線３に接続された端子１１は、ハウジング１３に収容される。
【００３４】
ハウジング１３は、合成樹脂などの絶縁性材料からなり、端子１１を収容可能なように直方体状に形成され、内部に端子１１を係止する係止ランスなどの係止部（不図示）が設けられている。
【００３５】
このハウジング１３は、シールドシェル１５に収容され、端子１１とシールドシェル１５との間の絶縁性を保持する。
【００３６】
シールドシェル１５は、導電性材料からなり、ハウジング１３を収容可能なように直方体状に形成された収容部２１と、収容部２１と連続する一部材で形成された後述する加締部１７とを有し、加締部１７を介してシールド電線９の編組５に電気的に接続される。
【００３７】
このシールドシェル１５は、ハウジング１３を収容部２１の内部に収容し、加締部１７を介して編組５に接続された状態で、コネクタハウジング２３に収容される。
【００３８】
コネクタハウジング２３は、合成樹脂などの絶縁性材料からなり、シールドシェル１５を収容可能なように筐体状に形成され、相手コネクタハウジング（不図示）と嵌合される。
【００３９】
このコネクタハウジング２３は、相手コネクタハウジングと嵌合することにより、相手コネクタハウジングに収容された相手端子（不図示）と端子１１とが電気的に接続される。
【００４０】
加えて、コネクタハウジング２３は、相手コネクタハウジングと嵌合することにより、相手コネクタハウジングに収容され接地された導電部材（不図示）とシールドシェル１５とが電気的に接続され、シールド回路を形成する。
【００４１】
このようにシールドシェル１５がシールド回路を形成することにより、電線３の芯線からのノイズなどの漏洩や電線３の芯線へのノイズなどの侵入を防止することができる。
【００４２】
このようなシールド電線端末構造１において、シールドシェル１５の加締部１７が、シールド電線９の編組５を加締める前に、シールド電線９側に向けてＵ字状に形成されていると、加締部１７に編組５を配置するとき、加締部１７の端部が編組５に引っかかるなどの干渉を生じる恐れがある。
【００４３】
このような加締部１７と編組５との干渉が生じると、編組５に変形やバラけが生じる恐れがあり、加締部１７を編組５に加締めたときに、加締部１７と編組５との間の圧着性にバラツキが生じ、編組５とシールドシェル１５との接続信頼性が低下する恐れがあった。
【００４４】
そこで、加締部１７は、編組５を加締める前に、編組５が配置された状態でシールド電線９の長さ方向と平行な平面方向に延設されている。
【００４５】
詳細には、加締部１７は、シールドシェル１５の収容部２１の底壁部と連続する一部材で形成され、編組５を加締める前の状態で、収容部２１の底壁部と平行で収容部２１の幅方向の両側に向けて平板状にそれぞれ一対延設されている。
【００４６】
このように編組５を加締める前の状態で、加締部１７を平板状に形成することにより、シールド電線９の編組５を加締部１７に配置するときに、加締部１７と編組５とが干渉することがなく、編組５に変形やバラけが生じることがない。
【００４７】
このため、加締部１７を編組５に加締めたときに、加締部１７と編組５との間の圧着性を安定化することができ、編組５とシールドシェル１５との接続信頼性を保持することができる。
【００４８】
ここで、ハウジング１３は、シールドシェル１５の収容部２１に対して、シールド電線９の長さ方向に沿って収容される。
【００４９】
これに対して、平板状に形成された加締部１７は、編組５を加締める前の状態で、シールド電線９の長さ方向から見たときに、シールドシェル１５の収容部２１のハウジング１３が挿入される開口とオーバーラップしないように、シールドシェル１５の収容部２１の底壁部と平行に配置されている。
【００５０】
このように加締部１７を配置することにより、シールドシェル１５の収容部２１にハウジング１３を収容するときに、ハウジング１３と加締部１７とが干渉することがなく、容易にハウジング１３をシールドシェル１５の収容部２１に収容することができ、組付性を向上することができる。
【００５１】
このような加締部１７は、シールドシェル１５の収容部２１にハウジング１３が収容され、シールド電線９の編組５が配置された状態で、シールドシェル１５の幅方向に移動可能な一次的な型部材としての一対の治具２５，２５間に配置される。
【００５２】
このように配置された加締部１７に加締められる編組５の外周には、シールド電線９のサイズに応じた一次的な型部材としての一対の中子２７，２７が配置される。
【００５３】
このような編組５の外周に配置された一対の治具２５，２５と一対の中子２７，２７とは、一対の治具２５，２５を近接する方向に移動させることにより、一対の中子２７，２７を介して加締部１７が編組５の外形に沿って一次的に変形される。
【００５４】
このように一対の治具２５，２５と一対の中子２７，２７とよって、加締部１７を一次的に変形させることにより、平板状の加締部１７を編組５の外形に沿った形状とすることができ、加締部１７を編組５に安定して圧着することができる。
【００５５】
このように一次的に変形された加締部１７は、シールドシェル１５の高さ方向に移動可能な最終的な型部材としてのクリンパとアンビル（不図示）とによって、編組５の外周に加締められる。
【００５６】
このように加締部１７を編組５に加締めることにより、編組５と加締部１７とが圧着され、編組５とシールドシェル１５とが電気的に接続される。
【００５７】
このようなシールド電線端末構造１における組付方法は、まず、シールド電線９の端末部のシース７を所定長さ剥がし、露出された編組５をシース７側に向けて折返し、編組５をシース７の外周に配置させる。
【００５８】
次に、シールド電線９の露出された金属箔１９を所定長さ剥がし、複数の電線３の絶縁被覆をそれぞれ所定長さ剥がし、露出された複数の電線３の芯線にそれぞれ端子１１を圧着させる。
【００５９】
次に、複数の電線３に接続された複数の端子１１をそれぞれハウジング１３に収容する。
【００６０】
次に、端子１１が収容されたハウジング１３をシールドシェル１５の収容部２１に収容し、シールド電線９の編組５をシールドシェル１５の平板状の加締部１７に配置させる。
【００６１】
次に、シールド電線９の編組５が配置されたシールドシェル１５の加締部１７近傍を一対の治具２５，２５に配置させ、編組５近傍に一対の中子２７，２７を配置し、一対の治具２５，２５によって加締部１７を編組５の外形に沿って一次的に変形させる。
【００６２】
次に、一次的に変形された加締部１７近傍をクリンパとアンビルとの間に配置させ、クリンパとアンビルとによって加締部１７を編組５に加締めて圧着させる。
【００６３】
そして、加締部１７が編組５に加締められたシールドシェル１５をコネクタハウジング２３に収容し、組付けを完了する。
【００６４】
このようなシールド電線端末構造１では、シールドシェル１５に、編組５を加締めることにより接続され編組５を加締める前に編組５が配置された状態でシールド電線９の長さ方向と平行な平面方向に延設された加締部１７が設けられているので、加締部１７を加締める前に、シールド電線９の編組５を加締部１７に配置させるときに、加締部１７が編組５に引っかかるなどの干渉を生じることがない。
【００６５】
従って、このようなシールド電線端末構造１では、加締部１７と編組５との干渉による編組５の変形やバラけが生じることがなく、編組５とシールドシェル１５との接続信頼性を保持することができる。
【００６６】
また、ハウジング１３は、シールドシェル１５に対してシールド電線９の長さ方向に沿って収容されるので、ハウジング１３をシールドシェル１５に収容するときに、加締部１７がハウジング１３の挿入を阻害することがなく、組付性を向上することができる。
【００６７】
さらに、加締部１７は、編組５を加締める前に、編組５の外周に配置された治具２５と中子２７とによって編組の外形に沿って一次的に変形されるので、加締部１７を編組５に加締めたときに安定して加締部１７を編組５に圧着させることができ、編組５とシールドシェル１５との接続信頼性を向上することができる。
【００６８】
なお、本発明の実施の形態に係るシールド電線端末構造では、ハウジングに端子を収容した後に、ハウジングをシールドシェルに収容しているが、これに限らず、ハウジングをシールドシェルに収容した後に、端子をハウジングに収容してもよい。
【００６９】
いずれの場合であっても、シールドシェルへのハウジングの収容を加締部が阻害することがなく、組付性を向上することができる。
【符号の説明】
【００７０】
１…シールド電線端末構造
３…電線
５…編組
７…シース
９…シールド電線
１１…端子
１３…ハウジング
１５…シールドシェル
１７…加締部
２５…治具（型部材）
２７…中子（型部材）
【図１】
2019197639.tif 000003
【図２】
2019197639.tif 000004
【図３】
2019197639.tif 000005
【図４】
2019197639.tif 000006
【図５】
2019197639.tif 000007
【図６】
2019197639.tif 000008
【図７】
2019197639.tif 000009
【図８】
2019197639.tif 000010
【図９】
2019197639.tif 000011
【図１０】
2019197639.tif 000012